(57)【要約】【課題】小型の作動油制御部を備えるバルブタイミング調整装置を提供する。【解決手段】遅角供給油路ＲＲｓは、作動油制御部ＯＣを経由して作動油供給源ＯＳと遅角室２０１とを接続する。進角供給油路ＲＡｓは、作動油制御部ＯＣを経由して作動油供給源ＯＳと進角室２０２とを接続する。遅角ドレン油路ＲＲｄ、進角ドレン油路ＲＡｄは、遅角室２０１および進角室２０２とオイル排出部ＯＤとを接続する。遅角供給チェック弁７１は、遅角供給油路ＲＲｓにおいて作動油制御部ＯＣの作動油供給源ＯＳ側に設けられ、作動油供給源ＯＳ側から遅角室２０１側への作動油の流れのみ許容する。進角供給チェック弁７２は、進角供給油路ＲＡｓにおいて作動油制御部ＯＣの作動油供給源ＯＳ側に設けられ、作動油供給源ＯＳ側から進角室２０２側への作動油の流れのみ許容する。【選択図】図７
2018178971.tif 000002
【特許請求の範囲】
【請求項１】
内燃機関（１）のバルブ（４、５）のバルブタイミングを調整するバルブタイミング調整装置（１０）であって、
遅角室（２０１）および進角室（２０２）を有する位相変換部（ＰＣ）と、
前記遅角室および前記進角室に作動油を供給する作動油供給源（ＯＳ）と、
前記作動油供給源から前記遅角室および前記進角室に供給される作動油を制御する作動油制御部（ＯＣ）と、
前記遅角室または前記進角室からの作動油を排出するオイル排出部（ＯＤ）と、
前記作動油制御部を経由して前記作動油供給源と前記遅角室とを接続する遅角供給油路（ＲＲｓ）と、
前記作動油制御部を経由して前記作動油供給源と前記進角室とを接続する進角供給油路（ＲＡｓ）と、
前記遅角室および前記進角室と前記オイル排出部とを接続するドレン油路（ＲＲｄ、ＲＡｄ）と、
前記遅角供給油路において前記作動油制御部の前記作動油供給源側に設けられ、前記作動油供給源側から前記遅角室側への作動油の流れのみ許容する遅角供給チェック弁（７１）と、
前記進角供給油路において前記作動油制御部の前記作動油供給源側に設けられ、前記作動油供給源側から前記進角室側への作動油の流れのみ許容する進角供給チェック弁（７２）と、
を備えるバルブタイミング調整装置。
【請求項２】
前記作動油制御部は、筒状のスリーブ（４００）、および、前記スリーブの内側に設けられたスプール（６０）を有し、
前記スリーブは、前記遅角供給油路において前記作動油供給源に連通する遅角供給開口部（ＯＲｓ）、前記進角供給油路において前記作動油供給源に連通する進角供給開口部（ＯＡｓ）、前記遅角供給油路において前記遅角室に連通する遅角開口部（ＯＲ）、前記進角供給油路において前記進角室に連通する進角開口部（ＯＡ）を有する請求項１に記載のバルブタイミング調整装置。
【請求項３】
前記ドレン油路は、前記遅角室と前記オイル排出部とを接続する遅角ドレン油路（ＲＲｄ）、および、前記進角室と前記オイル排出部とを接続する進角ドレン油路（ＲＡｄ）を含み、
前記スプールは、前記スリーブに対する移動可能範囲であるストローク区間において、前記遅角ドレン油路および前記進角ドレン油路の両方を閉じて前記位相変換部の位相を保持する位相保持区間、ならびに、少なくとも前記位相保持区間において前記遅角開口部および前記進角開口部の両方を開く進遅角両開口区間を有する請求項２に記載のバルブタイミング調整装置。
【請求項４】
前記スプールは、前記ストローク区間において、前記進角供給開口部と前記進角ドレン油路とが連通する進角供給ドレン区間、または、前記遅角供給開口部と前記遅角ドレン油路とが連通する遅角供給ドレン区間を有する請求項３に記載のバルブタイミング調整装置。
【請求項５】
前記進遅角両開口区間の長さは、前記位相保持区間の長さより短く設定されている請求項３に記載のバルブタイミング調整装置。
【請求項６】
前記スリーブは、アウタースリーブ（４０）、および、前記アウタースリーブの内側に設けられたインナースリーブ（５０）を有し、
前記アウタースリーブと前記インナースリーブとの界面（Ｔ１）に、前記作動油供給源と前記遅角供給開口部とを接続する前記遅角供給油路、および、前記作動油供給源と前記進角供給開口部とを接続する前記進角供給油路が形成されている請求項２〜５のいずれか一項に記載のバルブタイミング調整装置。
【請求項７】
前記スリーブには、前記作動油供給源と前記遅角供給開口部とを接続する前記遅角供給油路、および、前記遅角供給油路とは異なる位置において前記作動油供給源と前記進角供給開口部とを接続する前記進角供給油路が形成されている請求項２〜５のいずれか一項に記載のバルブタイミング調整装置。
【請求項８】
前記遅角供給チェック弁および前記進角供給チェック弁は、前記作動油制御部の内側に設けられている請求項１〜７のいずれか一項に記載のバルブタイミング調整装置。
【請求項９】
前記遅角供給チェック弁および前記進角供給チェック弁は、前記作動油制御部の外側に設けられている請求項１〜７のいずれか一項に記載のバルブタイミング調整装置。
【請求項１０】
前記遅角室および前記進角室を形成するハウジング（２０）と、
前記ハウジングの内側に設けられ、前記作動油供給源側から前記作動油制御部側への作動油の流れのみ許容するリード弁（７０）と、
をさらに備える請求項１〜９のいずれか一項に記載のバルブタイミング調整装置。
【請求項１１】
前記遅角供給チェック弁および前記進角供給チェック弁は、１つの前記リード弁に形成されている請求項１０に記載のバルブタイミング調整装置。
【請求項１２】
前記遅角供給チェック弁および前記進角供給チェック弁は、径方向に弾性変形可能に形成されている請求項１〜８のいずれか一項に記載のバルブタイミング調整装置。
【請求項１３】
前記スリーブは、径方向に凹むよう形成され前記遅角供給チェック弁および前記進角供給チェック弁の軸方向の移動を規制可能な規制溝部（５１１、５１２）を有し、
前記遅角供給開口部および前記進角供給開口部は、前記スリーブの周方向における特定の部位に偏って形成されている請求項１２に記載のバルブタイミング調整装置。
【請求項１４】
前記遅角室および前記進角室を形成するハウジング（２０）をさらに備え、
前記作動油制御部は、少なくとも一部が前記ハウジングの内側に位置するよう設けられている請求項１〜１３のいずれか一項に記載のバルブタイミング調整装置。
【発明の詳細な説明】
【技術分野】
【０００１】
本発明は、バルブタイミング調整装置に関する。
【背景技術】
【０００２】
従来、内燃機関の駆動軸から従動軸まで動力を伝達する動力伝達経路に設けられ、従動軸により開閉駆動されるバルブのバルブタイミングを調整するバルブタイミング調整装置が知られている。バルブタイミング調整装置は、油圧式の場合、駆動軸および従動軸の一方と連動して回転するハウジングと、駆動軸および従動軸の他方の端部に固定されるベーンロータと、を備え、ハウジング内でベーンロータが区画形成する遅角室および進角室の一方に作動油を供給することによって、ハウジングに対してベーンロータを遅角方向または進角方向へ相対回転させる。遅角室および進角室に供給される作動油は、作動油制御弁により制御される。
【先行技術文献】
【特許文献】
【０００３】
【特許文献１】米国特許第６７６３７９１号明細書
【発明の概要】
【発明が解決しようとする課題】
【０００４】
例えば、特許文献１のバルブタイミング調整装置では、作動油制御弁の下流、すなわち、作動油制御弁と遅角室および進角室との間にチェック弁を設け、上流側への作動油の逆流を抑制し、ハウジングに対するベーンロータの位相を保持しているときであっても遅角室および進角室に作動油を供給可能としている。しかしながら、特許文献１のバルブタイミング調整装置では、作動油制御弁と遅角室との間、ならびに、作動油制御弁と進角室との間のそれぞれに１つずつ、合計２つのチェック弁を設けている。そのため、作動油制御弁と遅角室および進角室とを連通する油路を、遅角室側と進角室側とでそれぞれ２系統、合計４系統設ける必要がある。これにより、作動油制御弁には、遅角室に連通する開口部、および、進角室に連通する開口部をそれぞれ２つずつ、合計４つの開口部を形成する必要がある。したがって、作動油制御弁の体格が開口部の並び方向に大きくなるおそれがある。
【０００５】
本発明の目的は、小型の作動油制御部を備えるバルブタイミング調整装置を提供することにある。
【課題を解決するための手段】
【０００６】
本発明は、内燃機関（１）のバルブ（４、５）のバルブタイミングを調整するバルブタイミング調整装置（１０）であって、位相変換部（ＰＣ）と作動油供給源（ＯＳ）と作動油制御部（ＯＣ）とオイル排出部（ＯＤ）と遅角供給油路（ＲＲｓ）と進角供給油路（ＲＡｓ）とドレン油路（ＲＲｄ、ＲＡｄ）と遅角供給チェック弁（７１）と進角供給チェック弁（７２）とを備えている。
位相変換部は、遅角室（２０１）および進角室（２０２）を有している。
作動油供給源は、遅角室および進角室に作動油を供給する。
作動油制御部は、作動油供給源から遅角室および進角室に供給される作動油を制御する。
オイル排出部は、遅角室または進角室からの作動油を排出する。
【０００７】
遅角供給油路は、作動油制御部を経由して作動油供給源と遅角室とを接続する。
進角供給油路は、作動油制御部を経由して作動油供給源と進角室とを接続する。
ドレン油路は、遅角室および進角室とオイル排出部とを接続する。
遅角供給チェック弁は、遅角供給油路において作動油制御部の作動油供給源側に設けられ、作動油供給源側から遅角室側への作動油の流れのみ許容する。
進角供給チェック弁は、進角供給油路において作動油制御部の作動油供給源側に設けられ、作動油供給源側から進角室側への作動油の流れのみ許容する。
【０００８】
本発明では、遅角側、進角側のそれぞれに遅角供給チェック弁、進角供給チェック弁を設けることにより作動油供給源側への作動油の逆流を抑制し、位相変換部の位相を保持しているときであっても遅角室および進角室に作動油を供給可能である。すなわち、位相変換部の位相保持時、遅角室および進角室への作動油の供給状態を保ち、遅角室および進角室に空気が吸い込まれることで生じる位相変換部の位相暴れを抑制することができる。
【０００９】
また、本発明では、遅角供給チェック弁および進角供給チェック弁を作動油制御部の上流側に設けることにより、作動油制御部の下流側、すなわち、作動油制御部と遅角室および進角室との間の油路を、遅角室側と進角室側とでそれぞれ１系統、合計２系統とすることができる。そのため、作動油制御部に形成する開口部を、遅角室との間、および、進角室との間にそれぞれ１つずつ、合計２つにすることができる。これにより、作動油制御部の体格を開口部の並び方向に小さくすることができる。
【図面の簡単な説明】
【００１０】
【図１】第１実施形態によるバルブタイミング調整装置を示す断面図。
【図２】図１のＩＩ−ＩＩ線断面図。
【図３】第１実施形態によるバルブタイミング調整装置の作動油制御弁を示す断面図。
【図４】図３のＩＶ−ＩＶ線断面図。
【図５】第１実施形態によるバルブタイミング調整装置の遅角供給チェック弁を示す斜視図。
【図６】第１実施形態によるバルブタイミング調整装置の作動油制御弁を示す断面図であって、スプールがストローク区間の一方の端部にあるときの図。
【図７】第１実施形態によるバルブタイミング調整装置を示す模式図であって、スプールがストローク区間の一方の端部にあるときの図。
【図８】第１実施形態によるバルブタイミング調整装置の作動油制御弁を示す断面図であって、スプールがストローク区間の中間位置にあるときの図。
【図９】第１実施形態によるバルブタイミング調整装置を示す模式図であって、スプールがストローク区間の中間位置にあるときの図。
【図１０】第１実施形態によるバルブタイミング調整装置の作動油制御弁を示す断面図であって、スプールがストローク区間の他方の端部にあるときの図。
【図１１】第１実施形態によるバルブタイミング調整装置を示す模式図であって、スプールがストローク区間の他方の端部にあるときの図。
【図１２】第１実施形態によるバルブタイミング調整装置のスプールの位置と各油路の開口面積との関係を示す図。
【図１３】第２実施形態によるバルブタイミング調整装置のスプールの位置と各油路の開口面積との関係を示す図。
【図１４】第３実施形態によるバルブタイミング調整装置を示す断面図。
【図１５】第３実施形態によるバルブタイミング調整装置の作動油制御弁を示す断面図。
【図１６】第４実施形態によるバルブタイミング調整装置を示す断面図。
【図１７】第４実施形態によるバルブタイミング調整装置のリード弁を示す平面図。
【図１８】第４実施形態によるバルブタイミング調整装置を示す模式図であって、スプールがストローク区間の一方の端部にあるときの図。
【図１９】第５実施形態によるバルブタイミング調整装置の遅角供給チェック弁を示す展開図。
【図２０】第５実施形態によるバルブタイミング調整装置の遅角供給チェック弁を示す断面図。
【図２１】第６実施形態によるバルブタイミング調整装置の遅角供給チェック弁を示す展開図。
【発明を実施するための形態】
【００１１】
以下、本発明の複数の実施形態によるバルブタイミング調整装置を図面に基づき説明する。なお、複数の実施形態において実質的に同一の構成部位には同一の符号を付し、説明を省略する。また、複数の実施形態において実質的に同一の構成部位は、同一または同様の作用効果を奏する。
【００１２】
（第１実施形態）
第１実施形態によるバルブタイミング調整装置を図１、２に示す。バルブタイミング調整装置１０は、内燃機関としてのエンジン１のクランク軸２に対するカム軸３の回転位相を変化させることによって、カム軸３が開閉駆動する吸気弁４または排気弁５のうち吸気弁４のバルブタイミングを調整するものである。バルブタイミング調整装置１０は、クランク軸２からカム軸３までの動力伝達経路に設けられている。クランク軸２は、「駆動軸」に対応する。カム軸３は、「従動軸」に対応する。吸気弁４、排気弁５は、「バルブ」に対応する。
【００１３】
バルブタイミング調整装置１０の構成について図１、２に基づき説明する。
バルブタイミング調整装置１０は、位相変換部ＰＣ、作動油供給源ＯＳ、作動油制御部ＯＣ、オイル排出部ＯＤ、遅角供給油路ＲＲｓ、進角供給油路ＲＡｓ、ドレン油路としての遅角ドレン油路ＲＲｄおよび進角ドレン油路ＲＡｄ、遅角供給チェック弁７１、進角供給チェック弁７２等を備えている。
【００１４】
位相変換部ＰＣは、ハウジング２０、ベーンロータ３０を有している。
ハウジング２０は、ギア部２１およびケース２２を有している。ケース２２は、筒部２２１、板部２２２、２２３を有している。筒部２２１は、筒状に形成されている。板部２２２は、筒部２２１の一端を塞ぐよう筒部２２１と一体に形成されている。板部２２３は、筒部２２１の他端を塞ぐよう設けられている。これにより、ハウジング２０の内側に空間２００が形成されている。板部２２３は、ボルト１２により筒部２２１に固定されている。ギア部２１は、板部２２３の外縁部に形成されている。
【００１５】
板部２２３は、カム軸３の端部に嵌合している。カム軸３は、ハウジング２０を回転可能に支持している。チェーン６は、ギア部２１とクランク軸２とに巻き掛けられている。ギア部２１は、クランク軸２と連動して回転する。
ケース２２は、筒部２２１から径方向内側に突き出す複数の隔壁部２３を形成している。ケース２２の板部２２２の中央には、ケース２２の外側の空間に開口する開口部２４が形成されている。開口部２４は、ベーンロータ３０に対してカム軸３とは反対側に位置する。
【００１６】
ベーンロータ３０は、ボス３１、および、複数のベーン３２を有している。ボス３１は、筒状であり、カム軸３の端部に固定されている。ベーン３２は、ボス３１から径方向外側に向かって各隔壁部２３間に突き出している。ハウジング２０の内側の空間２００は、ベーン３２により遅角室２０１と進角室２０２とに仕切られている。すなわち、ハウジング２０は、ベーンロータ３０との間に遅角室２０１および進角室２０２を形成している。遅角室２０１は、ベーン３２に対して周方向の一方に位置している。進角室２０２は、ベーン３２に対して周方向の他方に位置している。ベーンロータ３０は、遅角室２０１および進角室２０２の油圧に応じて、ハウジング２０に対して遅角方向または進角方向へ相対回転する。
【００１７】
本実施形態では、作動油制御部ＯＣは、作動油制御弁１１である。作動油制御弁１１は、スリーブ４００、スプール６０等を備えている。
【００１８】
本実施形態では、作動油制御弁１１は、ハウジング２０およびベーンロータ３０の中央部に設けられている（図１、２参照）。すなわち、作動油制御弁１１は、少なくとも一部がハウジング２０の内側に位置するよう設けられている。
スリーブ４００は、アウタースリーブ４０、インナースリーブ５０を有している。
アウタースリーブ４０は、例えば鉄を含む比較的硬度が高い材料により略円筒状に形成されている。アウタースリーブ４０は、内周壁が略円筒面状に形成されている。
図３に示すように、アウタースリーブ４０の一方の端部の外周壁には、ねじ部４１が形成されている。アウタースリーブ４０の他方の端部側には、外周壁から径方向外側へ環状に延びる係止部４９が形成されている。
【００１９】
カム軸３のバルブタイミング調整装置１０側の端部には、軸穴部１００、供給穴部１０１が形成されている。軸穴部１００は、カム軸３のバルブタイミング調整装置１０側の端面の中央からカム軸３の軸方向に延びるようにして形成されている。供給穴部１０１は、カム軸３の外壁から径方向内側に延びて軸穴部１００に連通するよう形成されている。
【００２０】
カム軸３の軸穴部１００の内壁には、アウタースリーブ４０のねじ部４１にねじ結合可能な軸側ねじ部１１０が形成されている。
アウタースリーブ４０は、ベーンロータ３０のボス３１の内側を通り、ねじ部４１がカム軸３の軸側ねじ部１１０に結合するようにしてカム軸３に固定される。このとき、係止部４９は、ベーンロータ３０のボス３１のカム軸３とは反対側の端面を係止する。これにより、ベーンロータ３０は、カム軸３と係止部４９とに挟み込まれるようにしてカム軸３に固定される。このように、アウタースリーブ４０は、ベーンロータ３０の中央部に設けられる。
【００２１】
本実施形態では、作動油供給源ＯＳは、オイルポンプ８である。また、オイル排出部ＯＤは、オイルパン７である。オイルポンプ８は、供給穴部１０１に接続される。オイルポンプ８は、オイルパン７に貯留されている作動油を汲み上げ、供給穴部１０１に供給する。これにより、軸穴部１００には、作動油が流入する。
【００２２】
インナースリーブ５０は、例えばアルミニウムを含む比較的硬度が低い材料により略円筒状に形成されている。つまり、インナースリーブ５０は、アウタースリーブ４０よりも硬度が低い材料により形成されている。インナースリーブ５０は、内周壁および外周壁が略円筒面状に形成されている。インナースリーブ５０は、表面にアルマイト等の表面硬化処理が施されており、表面に母材と比較して高硬度の表面層を有する。
【００２３】
図３に示すように、インナースリーブ５０は、外周壁がアウタースリーブ４０の内周壁に嵌合するようアウタースリーブ４０の内側に設けられている。インナースリーブ５０は、アウタースリーブ４０に対し相対移動不能である。
【００２４】
インナースリーブ５０の一端には、スリーブ封止部５１が設けられている。スリーブ封止部５１は、インナースリーブ５０の一端を塞いでいる。
【００２５】
スプール６０は、例えば金属により略円筒状に形成されている。
スプール６０は、外周壁がインナースリーブ５０の内周壁と摺動し、軸方向に往復移動可能なようインナースリーブ５０の内側に設けられている。
【００２６】
スプール６０の一端には、スプール封止部６２が設けられている。スプール封止部６２は、スプール６０の一端を塞いでいる。
【００２７】
インナースリーブ５０の内側におけるスリーブ封止部５１とスプール６０の他端との間には、容積可変空間Ｓｖが形成されている。容積可変空間Ｓｖは、スプール６０がインナースリーブ５０に対し軸方向へ移動するとき、容積が変化する。すなわち、スリーブ封止部５１は、スプール６０との間に、容積が変化する容積可変空間Ｓｖを形成している。
【００２８】
容積可変空間Ｓｖには、スプリング６３が設けられている。スプリング６３は、所謂コイルスプリングであり、一端がスリーブ封止部５１に当接し、他端がスプール６０の他端に当接している。スプリング６３は、スプール６０をスリーブ封止部５１とは反対側へ付勢している。
【００２９】
アウタースリーブ４０の他方の端部の径方向内側には、係止部５９が設けられている。係止部５９は有底筒状に形成され、外周壁がアウタースリーブ４０の内周壁に嵌合するよう設けられている。係止部５９の底部の中央には、穴部が形成されており、当該穴部の内側にスプール封止部６２が位置している。
【００３０】
係止部５９は、底部により、スプール６０の一端を係止可能である。係止部５９は、スプール６０のスリーブ封止部５１とは反対側へのスプール６０の移動を規制可能である。これにより、スプール６０は、インナースリーブ５０の内側からの脱落が抑制されている。
スプール６０は、係止部５９に当接する位置から、スリーブ封止部５１に当接する位置まで、軸方向に移動可能である。すなわち、係止部５９に当接する位置（図３、６参照）から、スリーブ封止部５１に当接する位置（図１０参照）までが、スリーブ４００に対する移動可能範囲である。以下、このスプール６０の移動可能範囲を「ストローク区間」と呼ぶ。
【００３１】
図３に示すように、インナースリーブ５０のスリーブ封止部５１側の端部は、外径がアウタースリーブ４０の内径より小さく形成されている。これにより、インナースリーブ５０のスリーブ封止部５１側の端部の外周壁とアウタースリーブ４０の内周壁との間には、略円筒状の空間である筒状空間Ｓｔ１が形成されている。
また、インナースリーブ５０には、環状凹部Ｈｔが形成されている。環状凹部Ｈｔは、インナースリーブ５０の外周壁の係止部４９に対応する位置から径方向内側へ環状に凹むよう形成されている。これにより、環状凹部Ｈｔとアウタースリーブ４０の内周壁との間には、環状の空間である環状空間Ｓｔ２が形成されている。
また、インナースリーブ５０には、流路溝部５２が形成されている。流路溝部５２は、インナースリーブ５０の外周壁から径方向内側へ凹み、かつ、インナースリーブ５０の軸方向へ延びるようにして形成されている。流路溝部５２は、軸方向供給油路ＲｓＡを形成している。すなわち、軸方向供給油路ＲｓＡは、アウタースリーブ４０とインナースリーブ５０との界面Ｔ１においてスリーブ４００の軸方向に延びるよう形成されている。軸方向供給油路ＲｓＡは、一端が筒状空間Ｓｔ１に接続し、他端が環状空間Ｓｔ２に接続している。
【００３２】
また、インナースリーブ５０には、規制溝部５１１、５１２が形成されている。規制溝部５１１は、インナースリーブ５０の内周壁の筒状空間Ｓｔ１の端部に対応する位置から径方向外側へ環状に凹むよう形成されている。規制溝部５１２は、インナースリーブ５０の内周壁の環状凹部Ｈｔに対応する位置から径方向外側へ環状に凹むよう形成されている。
【００３３】
スリーブ４００は、遅角供給開口部ＯＲｓ、進角供給開口部ＯＡｓ、遅角開口部ＯＲ、進角開口部ＯＡを有している。
遅角供給開口部ＯＲｓは、スリーブ４００の径方向に延びてインナースリーブ５０の規制溝部５１１と筒状空間Ｓｔ１および軸方向供給油路ＲｓＡとを接続するよう形成されている。なお、遅角供給開口部ＯＲｓは、インナースリーブ５０の周方向に複数形成されている。
進角供給開口部ＯＡｓは、スリーブ４００の径方向に延びてインナースリーブ５０の規制溝部５１２と環状空間Ｓｔ２および軸方向供給油路ＲｓＡとを接続するよう形成されている。なお、進角供給開口部ＯＡｓは、インナースリーブ５０の周方向に複数形成されている。
【００３４】
遅角開口部ＯＲは、スリーブ４００の径方向に延びてインナースリーブ５０の内側の空間とアウタースリーブ４０の外側の空間とを接続するよう形成されている。なお、遅角開口部ＯＲは、スリーブ４００の周方向に複数形成されている。遅角開口部ＯＲは、遅角油路３０１を経由して遅角室２０１に連通している。
進角開口部ＯＡは、スリーブ４００の径方向に延びてインナースリーブ５０の内側の空間とアウタースリーブ４０の外側の空間とを接続するよう形成されている。進角開口部ＯＡは、遅角開口部ＯＲに対し係止部４９側に形成されている。なお、進角開口部ＯＡは、スリーブ４００の周方向に複数形成されている。進角開口部ＯＡは、進角油路３０２を経由して進角室２０２に連通している。
【００３５】
スプール６０は、遅角供給凹部ＨＲｓ、遅角ドレン凹部ＨＲｄ、進角ドレン凹部ＨＡｄ、進角供給凹部ＨＡｓ、ドレン開口部Ｏｄ１、Ｏｄ２を有している。
遅角供給凹部ＨＲｓ、遅角ドレン凹部ＨＲｄ、進角ドレン凹部ＨＡｄ、進角供給凹部ＨＡｓは、それぞれ、スプール６０の外周壁から径方向内側へ凹むようにして環状に形成されている。遅角供給凹部ＨＲｓ、遅角ドレン凹部ＨＲｄ、進角ドレン凹部ＨＡｄ、進角供給凹部ＨＡｓは、この順でスプール６０の軸方向に並ぶよう形成されている。また、遅角ドレン凹部ＨＲｄと進角ドレン凹部ＨＡｄとは、一体に形成されている。遅角ドレン凹部ＨＲｄおよび進角ドレン凹部ＨＡｄは、インナースリーブ５０の内周壁との間に特定空間Ｓｓを形成している。すなわち、スプール６０は、スリーブ４００との間に特定空間Ｓｓを形成している。
【００３６】
ドレン開口部Ｏｄ１は、スプール６０の内側の空間と遅角ドレン凹部ＨＲｄおよび進角ドレン凹部ＨＡｄ、すなわち、特定空間Ｓｓとを連通するよう形成されている。ドレン開口部Ｏｄ２は、スプール６０のスプール封止部６２側の端部において内側の空間と外側の空間とを連通するよう形成されている。なお、ドレン開口部Ｏｄ１、Ｏｄ２は、それぞれ、スプール６０の周方向に複数形成されている。
【００３７】
遅角供給油路ＲＲｓは、作動油制御弁１１を経由してオイルポンプ８と遅角室２０１とを接続している。進角供給油路ＲＡｓは、作動油制御弁１１を経由してオイルポンプ８と進角室２０２とを接続している。ドレン油路としての遅角ドレン油路ＲＲｄは、遅角室２０１とオイルパン７とを接続している。ドレン油路としての進角ドレン油路ＲＡｄは、進角室２０２とオイルパン７とを接続している。
【００３８】
遅角供給油路ＲＲｓは、供給穴部１０１、軸穴部１００、筒状空間Ｓｔ１、軸方向供給油路ＲｓＡ、遅角供給開口部ＯＲｓ、規制溝部５１１、遅角供給凹部ＨＲｓ、遅角開口部ＯＲ、遅角油路３０１を経由して、オイルポンプ８と遅角室２０１とを接続している。
進角供給油路ＲＡｓは、供給穴部１０１、軸穴部１００、筒状空間Ｓｔ１、軸方向供給油路ＲｓＡ、進角供給開口部ＯＡｓ、規制溝部５１２、進角供給凹部ＨＡｓ、進角開口部ＯＡ、進角油路３０２を経由して、オイルポンプ８と進角室２０２とを接続している。
遅角ドレン油路ＲＲｄは、遅角油路３０１、遅角開口部ＯＲ、遅角ドレン凹部ＨＲｄ、ドレン開口部Ｏｄ１、Ｏｄ２を経由して、遅角室２０１とオイルパン７とを接続している。
進角ドレン油路ＲＡｄは、進角油路３０２、進角開口部ＯＡ、進角ドレン凹部ＨＡｄ、ドレン開口部Ｏｄ１、Ｏｄ２を経由して、進角室２０２とオイルパン７とを接続している。
このように、遅角供給油路ＲＲｓ、進角供給油路ＲＡｓ、遅角ドレン油路ＲＲｄ、進角ドレン油路ＲＡｄは、一部が作動油制御弁１１の内部に形成されている。
【００３９】
スプール６０が係止部５９に当接しているとき（図３、６、７参照）、すなわち、スプール６０がストローク区間の一方の端部に位置するとき、スプール６０が遅角開口部ＯＲを開いているため、オイルポンプ８は、遅角供給油路ＲＲｓの供給穴部１０１、軸穴部１００、筒状空間Ｓｔ１、軸方向供給油路ＲｓＡ、遅角供給開口部ＯＲｓ、規制溝部５１１、遅角供給凹部ＨＲｓ、遅角開口部ＯＲ、遅角油路３０１を経由して遅角室２０１に連通する。これにより、オイルポンプ８から遅角供給油路ＲＲｓを経由して遅角室２０１に作動油を供給することができる。
また、このとき、進角室２０２は、進角ドレン油路ＲＡｄの進角油路３０２、進角開口部ＯＡ、進角ドレン凹部ＨＡｄ、ドレン開口部Ｏｄ１、Ｏｄ２を経由してオイルパン７に連通する。これにより、進角室２０２から進角ドレン油路ＲＡｄを経由してオイルパン７に作動油を排出することができる。
【００４０】
スプール６０が係止部５９とスリーブ封止部５１との間に位置しているとき（図８、９参照）、すなわち、スプール６０がストローク区間の中間に位置するとき、オイルポンプ８は、進角供給油路ＲＡｓの供給穴部１０１、軸穴部１００、筒状空間Ｓｔ１、軸方向供給油路ＲｓＡ、進角供給開口部ＯＡｓ、規制溝部５１２、進角供給凹部ＨＡｓ、進角開口部ＯＡ、進角油路３０２を経由して進角室２０２に連通する。なお、このとき、遅角供給油路ＲＲｓによりオイルポンプ８と遅角室２０１とは連通している。これにより、オイルポンプ８から遅角供給油路ＲＲｓ、進角供給油路ＲＡｓを経由して遅角室２０１、進角室２０２に作動油を供給することができる。ただし、スプール６０により遅角ドレン油路ＲＲｄおよび進角ドレン油路ＲＡｄは閉じられている、すなわち、遮断されているため、作動油は遅角室２０１および進角室２０２からオイルパン７に排出されない。
【００４１】
スプール６０がスリーブ封止部５１に当接しているとき（図１０、１１参照）、すなわち、スプール６０がストローク区間の他方の端部に位置するとき、遅角室２０１は、遅角ドレン油路ＲＲｄの遅角油路３０１、遅角開口部ＯＲ、遅角ドレン凹部ＨＲｄ、ドレン開口部Ｏｄ１、Ｏｄ２を経由してオイルパン７に連通する。なお、このとき、進角供給油路ＲＡｓによりオイルポンプ８と進角室２０２とは連通している。これにより、遅角室２０１から遅角ドレン油路ＲＲｄを経由してオイルパン７に作動油を排出することができるとともに、オイルポンプ８から進角供給油路ＲＡｓを経由して進角室２０２に作動油を供給することができる。
【００４２】
アウタースリーブ４０のスリーブ封止部５１側の端部の内側、すなわち、遅角供給油路ＲＲｓおよび進角供給油路ＲＡｓの途中には、フィルタ５８が設けられている。フィルタ５８は、例えば円板状のメッシュである。フィルタ５８は、作動油に含まれる異物を捕集可能である。そのため、フィルタ５８の下流側、すなわち、オイルポンプ８とは反対側に異物が流れるのを抑制することができる。
【００４３】
遅角供給チェック弁７１は、例えば長方形の金属薄板を長手方向が周方向に沿うよう曲げることにより略円筒状に形成されている。図５は、遅角供給チェック弁７１の斜視図である。
遅角供給チェック弁７１は、重なり部７００を有している。
重なり部７００は、遅角供給チェック弁７１の周方向の一方の端部に形成されている。重なり部７００は、遅角供給チェック弁７１の周方向の他方の端部の径方向外側に重なるようにして形成されている（図５参照）。
【００４４】
遅角供給チェック弁７１は、規制溝部５１１に設けられている。遅角供給チェック弁７１は、規制溝部５１１において径方向に弾性変形可能に設けられている。遅角供給チェック弁７１は、遅角供給開口部ＯＲｓに対しインナースリーブ５０の径方向内側に設けられている。遅角供給チェック弁７１は、規制溝部５１１に設けられ、遅角供給油路ＲＲｓに作動油が流れていない状態、すなわち、外力が作用していない状態では、重なり部７００が周方向の他方の端部に重なった状態である。
【００４５】
作動油が遅角供給油路ＲＲｓにおいて遅角供給開口部ＯＲｓ側から遅角供給凹部ＨＲｓ側へ流れるとき、遅角供給チェック弁７１は、外周壁が作動油により押され径方向内側へ縮まるよう、すなわち、内径が縮小するようにして変形する。これにより、遅角供給チェック弁７１の外周壁が遅角供給開口部ＯＲｓから離間し、作動油は、遅角供給チェック弁７１を経由して遅角供給凹部ＨＲｓ側へ流れることができる。このとき、重なり部７００は、重なり部７００と遅角供給チェック弁７１の他方の端部との重なり範囲の長さを拡大しながら一部が重なった状態を維持した状態となる。
【００４６】
遅角供給油路ＲＲｓを流れる作動油の流量が所定値以下になると、遅角供給チェック弁７１は、径方向外側へ拡がるよう、すなわち、内径が拡大するようにして変形する。さらに、作動油が遅角供給凹部ＨＲｓ側から遅角供給開口部ＯＲｓ側へ流れる場合、遅角供給チェック弁７１の内周壁が作動油により径方向外側へ押され、遅角供給開口部ＯＲｓに当接する。これにより、遅角供給凹部ＨＲｓ側から遅角供給開口部ＯＲｓ側への作動油の流れが規制される。
【００４７】
このように、遅角供給チェック弁７１は、逆止弁として機能し、遅角供給開口部ＯＲｓ側から遅角供給凹部ＨＲｓ側への作動油の流れを許容し、遅角供給凹部ＨＲｓ側から遅角供給開口部ＯＲｓ側への作動油の流れを規制可能である。すなわち、遅角供給チェック弁７１は、遅角供給油路ＲＲｓにおいて作動油制御弁１１のスプール６０に対しオイルポンプ８側に設けられ、オイルポンプ８側から遅角室２０１側への作動油の流れのみ許容する。
【００４８】
進角供給チェック弁７２は、遅角供給チェック弁７１と同様、例えば長方形の金属薄板を長手方向が周方向に沿うよう曲げることにより略円筒状に形成されている。進角供給チェック弁７２の構成は、遅角供給チェック弁７１と同様のため、詳細な構成の説明を省略する。
【００４９】
進角供給チェック弁７２は、規制溝部５１２に設けられている。進角供給チェック弁７２は、規制溝部５１２において径方向に弾性変形可能に設けられている。進角供給チェック弁７２は、進角供給開口部ＯＡｓに対しインナースリーブ５０の径方向内側に設けられている。進角供給チェック弁７２は、規制溝部５１２に設けられ、進角供給油路ＲＡｓに作動油が流れていない状態、すなわち、外力が作用していない状態では、重なり部７００が周方向の他方の端部に重なった状態である。
【００５０】
作動油が進角供給油路ＲＡｓにおいて進角供給開口部ＯＡｓ側から進角供給凹部ＨＡｓ側へ流れるとき、進角供給チェック弁７２は、外周壁が作動油により押され径方向内側へ縮まるよう、すなわち、内径が縮小するようにして変形する。これにより、進角供給チェック弁７２の外周壁が進角供給開口部ＯＡｓから離間し、作動油は、進角供給チェック弁７２を経由して進角供給凹部ＨＡｓ側へ流れることができる。このとき、重なり部７００は、重なり部７００と進角供給チェック弁７２の他方の端部との重なり範囲の長さを拡大しながら一部が重なった状態を維持した状態となる。
【００５１】
進角供給油路ＲＡｓを流れる作動油の流量が所定値以下になると、進角供給チェック弁７２は、径方向外側へ拡がるよう、すなわち、内径が拡大するようにして変形する。さらに、作動油が進角供給凹部ＨＡｓ側から進角供給開口部ＯＡｓ側へ流れる場合、進角供給チェック弁７２の内周壁が作動油により径方向外側へ押され、進角供給開口部ＯＡｓに当接する。これにより、進角供給凹部ＨＡｓ側から進角供給開口部ＯＡｓ側への作動油の流れが規制される。
【００５２】
このように、進角供給チェック弁７２は、逆止弁として機能し、進角供給開口部ＯＡｓ側から進角供給凹部ＨＡｓ側への作動油の流れを許容し、進角供給凹部ＨＡｓ側から進角供給開口部ＯＡｓ側への作動油の流れを規制可能である。すなわち、進角供給チェック弁７２は、進角供給油路ＲＡｓにおいて作動油制御弁１１のスプール６０に対しオイルポンプ８側に設けられ、オイルポンプ８側から進角室２０２側への作動油の流れのみ許容する。
【００５３】
規制溝部５１１、５１２は、それぞれ、遅角供給チェック弁７１、進角供給チェック弁７２の軸方向の移動を規制可能である。
図４に示すように、進角供給開口部ＯＡｓは、インナースリーブ５０に５つ形成されている。進角供給開口部ＯＡｓは、インナースリーブ５０の周方向の全範囲のうち概ね半分の範囲に形成されている。すなわち、進角供給開口部ＯＡｓは、インナースリーブ５０の周方向における特定の部位に偏って形成されている。そのため、作動油が進角供給開口部ＯＡｓ側から進角供給凹部ＨＡｓ側へ流れるとき、進角供給チェック弁７２は、作動油によって、規制溝部５１２の進角供給開口部ＯＡｓとは反対側に押し付けられる。これにより、進角供給チェック弁７２が規制溝部５１２から脱落するのを抑制することができる。したがって、規制溝部５１２は、進角供給チェック弁７２の軸方向の移動を規制する機能を維持することができる。
【００５４】
遅角供給開口部ＯＲｓも、進角供給開口部ＯＡｓと同様、インナースリーブ５０に５つ形成されている。遅角供給開口部ＯＲｓは、インナースリーブ５０の周方向の全範囲のうち概ね半分の範囲に形成されている。すなわち、遅角供給開口部ＯＲｓは、インナースリーブ５０の周方向における特定の部位に偏って形成されている。そのため、作動油が遅角供給開口部ＯＲｓ側から遅角供給凹部ＨＲｓ側へ流れるとき、遅角供給チェック弁７１は、作動油によって、規制溝部５１１の遅角供給開口部ＯＲｓとは反対側に押し付けられる。これにより、遅角供給チェック弁７１が規制溝部５１１から脱落するのを抑制することができる。したがって、規制溝部５１１は、遅角供給チェック弁７１の軸方向の移動を規制する機能を維持することができる。
【００５５】
スプール６０のカム軸３とは反対側には、リニアソレノイド９が設けられる。リニアソレノイド９は、スプール封止部６２に当接するようにして設けられる。リニアソレノイド９は、通電により、スプール封止部６２を介してスプール６０をスプリング６３の付勢力に抗してカム軸３側へ押圧する。これにより、スプール６０は、ストローク区間においてスリーブ４００に対する軸方向の位置が変化する。
容積可変空間Ｓｖは、遅角ドレン油路ＲＲｄおよび進角ドレン油路ＲＡｄに連通している。そのため、容積可変空間Ｓｖは、遅角ドレン油路ＲＲｄおよび進角ドレン油路ＲＡｄのドレン開口部Ｏｄ２を経由して大気に開放されている。これにより、容積可変空間Ｓｖの圧力を大気圧と同等にすることができる。そのため、スプール６０の軸方向の移動を円滑にすることができる。
【００５６】
次に、スリーブ４００に対するスプール６０の位置による作動油の流れの変化について、図６〜１２に基づき説明する。
図１２において、横軸のスプールストロークは、スプール６０の係止部５９からの距離に対応している。スプールストロークは、ｓ０、ｓ１、ｓ２、ｓ３、ｓ４、ｓ５、ｓ６の順で大きい値である。ここで、スプールストロークｓ１はスプール６０が係止部５９に当接しているときの距離に対応し、スプールストロークｓ３はスプール６０が係止部５９とスリーブ封止部５１との間に位置しているときの距離に対応し、スプールストロークｓ６はスプール６０がスリーブ封止部５１に当接しているときの距離に対応している。また、スプールストロークｓ０からｓ６までが「ストローク区間」に対応している。
【００５７】
図１２において、縦軸の開口面積は、各油路の開口面積に対応している。ここで、「開口面積」とは、各油路における最小の開口面積、すなわち、流路面積を意味するものとする。図１２において、遅角供給油路ＲＲｓの開口面積をＳＲｓ、進角ドレン油路ＲＡｄの開口面積をＳＡｄ、進角供給油路ＲＡｓの開口面積をＳＡｓ、遅角ドレン油路ＲＲｄの開口面積をＳＲｄで示す。
【００５８】
図６、７に示すように、スプール６０が係止部５９に当接しているとき、すなわち、スプール６０がストローク区間の一方の端部に位置するとき（図１２のｓ０）、作動油は、オイルポンプ８から遅角供給油路ＲＲｓを経由して遅角室２０１に供給される。また、このとき、作動油は、進角室２０２から進角ドレン油路ＲＡｄを経由してオイルパン７に排出される。このときのＳＲｓ、ＳＡｄ、ＳＡｓ、ＳＲｄは、図１２のスプールストロークｓ０に示す通りである。すなわち、このとき、ＳＲｓは０より大きく、ＳＡｄは０より大きくＳＲｄより小さく、ＳＡｓおよびＳＲｄは０である。
【００５９】
図８、９に示すように、スプール６０が係止部５９とスリーブ封止部５１との間に位置しているとき、すなわち、スプール６０がストローク区間の中間に位置するとき（図１２のｓ３）、作動油は、オイルポンプ８から遅角供給油路ＲＲｓを経由して遅角室２０１に供給される。また、このとき、作動油は、オイルポンプ８から進角供給油路ＲＡｓを経由して進角室２０２に供給される。このときのＳＲｓ、ＳＡｄ、ＳＡｓ、ＳＲｄは、図１２のスプールストロークｓ３に示す通りである。すなわち、このとき、ＳＲｓは０より大きく、ＳＡｄは０であり、ＳＡｓは０より大きくＳＲｓと同じ、ＳＲｄは０である。
【００６０】
図１０、１１に示すように、スプール６０がスリーブ封止部５１に当接しているとき、すなわち、スプール６０がストローク区間の他方の端部に位置するとき（図１２のｓ６）、作動油は、オイルポンプ８から進角供給油路ＲＡｓを経由して進角室２０２に供給される。また、このとき、作動油は、遅角室２０１から遅角ドレン油路ＲＲｄを経由してオイルパン７に排出される。このときのＳＲｓ、ＳＡｄ、ＳＡｓ、ＳＲｄは、図１２のスプールストロークｓ６に示す通りである。すなわち、このとき、ＳＲｓおよびＳＡｄは０であり、ＳＡｓは０より大きく、ＳＲｄは０より大きくＳＡｓより小さい。
【００６１】
図１２に示すように、スプールストロークｓ２〜ｓ４では、ＳＡｄおよびＳＲｄは０である。このとき、スプール６０は、遅角ドレン油路ＲＲｄおよび進角ドレン油路ＲＡｄの両方を閉じて位相変換部ＰＣの位相を保持する。このときのストローク区間を「位相保持区間」とする。
また、スプールストロークｓ１〜ｓ５では、ＳＲｓおよびＳＡｓは０より大きい。このとき、スプール６０は、遅角開口部ＯＲおよび進角開口部ＯＡの両方を開き、遅角室２０１および進角室２０２の両方に作動油を供給可能とする。このときのストローク区間を「進遅角両開口区間」とする。
また、スプールストロークｓ１〜ｓ２では、ＳＲｓ、ＳＡｄ、ＳＡｓは０より大きい。このとき、進角供給開口部ＯＡｓと進角ドレン油路ＲＡｄとが連通する。このときのストローク区間を「進角供給ドレン区間」とする。
また、スプールストロークｓ４〜ｓ５では、ＳＲｓ、ＳＲｄ、ＳＡｓは０より大きい。このとき、遅角供給開口部ＯＲｓと遅角ドレン油路ＲＲｄとが連通する。このときのストローク区間を「遅角供給ドレン区間」とする。
【００６２】
このように、本実施形態では、スプール６０は、スリーブ４００に対する移動可能範囲であるストローク区間（ｓ０〜ｓ６）において、遅角ドレン油路ＲＲｄおよび進角ドレン油路ＲＡｄの両方を閉じて位相変換部ＰＣの位相を保持する「位相保持区間（ｓ２〜ｓ４）」、ならびに、少なくとも位相保持区間において遅角開口部ＯＲおよび進角開口部ＯＡの両方を開く「進遅角両開口区間（ｓ１〜ｓ５）」を有している。
また、スプール６０は、ストローク区間において、進角供給開口部ＯＡｓと進角ドレン油路ＲＡｄとが連通する「進角供給ドレン区間（ｓ１〜ｓ２）」、および、遅角供給開口部ＯＲｓと遅角ドレン油路ＲＲｄとが連通する「遅角供給ドレン区間（ｓ４〜５）」を有している。
なお、「進遅角両開口区間（ｓ１〜ｓ５）」は、「位相保持区間（ｓ２〜ｓ４）」の長さより長く設定されている。
【００６３】
本実施形態は、ロックピン３３をさらに備えている（図１、２参照）。ロックピン３３は、有底円筒状に形成され、ベーン３２に形成された収容穴部３２１に軸方向に往復移動可能に収容されている。ロックピン３３の内側には、スプリング３４が設けられている。スプリング３４は、ロックピン３３をケース２２の板部２２２側へ付勢している。ケース２２の板部２２２のベーン３２側には、嵌入凹部２５が形成されている。
【００６４】
ロックピン３３は、ハウジング２０に対しベーンロータ３０が最遅角位置にあるとき、嵌入凹部２５に嵌入可能である。ロックピン３３が嵌入凹部２５に嵌入しているとき、ハウジング２０に対するベーンロータ３０の相対回転が規制される。一方、ロックピン３３が嵌入凹部２５に嵌入していないとき、ハウジング２０に対するベーンロータ３０の相対回転が許容される。
【００６５】
ベーン３２のロックピン３３と進角室２０２との間には、進角室２０２に連通するピン制御油路３０４が形成されている（図２参照）。進角室２０２からピン制御油路３０４に流入する作動油の圧力は、ロックピン３３がスプリング３４の付勢力に抗して嵌入凹部２５から抜け出す方向に働く。
【００６６】
以上のように構成されたバルブタイミング調整装置１０では、進角室２０２に作動油が供給されると、ピン制御油路３０４に作動油が流入し、ロックピン３３が嵌入凹部２５から抜け出し、ハウジング２０に対するベーンロータ３０の相対回転が許容された状態となる。
【００６７】
次に、バルブタイミング調整装置１０の作動について説明する。バルブタイミング調整装置１０は、リニアソレノイド９の駆動により作動油制御弁１１のスプール６０を押圧し、作動油制御弁１１を、オイルポンプ８と遅角室２０１とを接続しつつ、進角室２０２とオイルパン７とを接続する第１作動状態と、オイルポンプ８と進角室２０２とを接続しつつ、遅角室２０１とオイルパン７とを接続する第２作動状態と、オイルポンプ８と遅角室２０１および進角室２０２とを接続しつつ、遅角室２０１および進角室２０２とオイルパン７との間を遮断し位相変換部ＰＣの位相を保持する位相保持状態と、に作動させる。
【００６８】
第１作動状態では、遅角供給油路ＲＲｓを経由して遅角室２０１に作動油が供給されつつ、進角ドレン油路ＲＡｄを経由して進角室２０２から作動油がオイルパン７に戻される。第２作動状態では、進角供給油路ＲＡｓを経由して進角室２０２に作動油が供給されつつ、遅角ドレン油路ＲＲｄを経由して遅角室２０１から作動油がオイルパン７に戻される。位相保持状態では、遅角供給油路ＲＲｓおよび進角供給油路ＲＡｓを経由して遅角室２０１および進角室２０２に作動油が供給されつつ、遅角室２０１および進角室２０２の作動油の排出が規制される。
【００６９】
バルブタイミング調整装置１０は、カム軸３の回転位相が目標値よりも進角側である場合、作動油制御弁１１を第１作動状態とする。これにより、ベーンロータ３０がハウジング２０に対して遅角方向へ相対回転し、カム軸３の回転位相が遅角側へ変化する。
また、バルブタイミング調整装置１０は、カム軸３の回転位相が目標値よりも遅角側である場合、作動油制御弁１１を第２作動状態とする。これにより、ベーンロータ３０がハウジング２０に対して進角方向へ相対回転し、カム軸３の回転位相が進角側へ変化する。
また、バルブタイミング調整装置１０は、カム軸３の回転位相が目標値と一致する場合、作動油制御弁１１を位相保持状態とする。これにより、カム軸３の回転位相が保持される。
【００７０】
本実施形態では、作動油制御弁１１が位相保持状態のとき、すなわち、位相変換部ＰＣの位相を保持しているときであっても遅角室２０１および進角室２０２に作動油を供給可能である。すなわち、位相変換部ＰＣの位相保持時、遅角室２０１および進角室２０２への作動油の供給状態を保ち、遅角室２０１および進角室２０２に空気が吸い込まれることで生じる位相変換部ＰＣの位相暴れを抑制することができる。
【００７１】
以上説明したように、（１）本実施形態は、エンジン１の吸気弁４のバルブタイミングを調整するバルブタイミング調整装置１０であって、位相変換部ＰＣと作動油供給源ＯＳと作動油制御部ＯＣとオイル排出部ＯＤと遅角供給油路ＲＲｓと進角供給油路ＲＡｓと遅角ドレン油路ＲＲｄおよび進角ドレン油路ＲＡｄと遅角供給チェック弁７１と進角供給チェック弁７２とを備えている。
位相変換部ＰＣは、遅角室２０１および進角室２０２を有している。
作動油供給源ＯＳは、遅角室２０１および進角室２０２に作動油を供給する。
作動油制御部ＯＣは、オイルポンプ８から遅角室２０１および進角室２０２に供給される作動油を制御する。
オイル排出部ＯＤは、遅角室２０１または進角室２０２からの作動油を排出する。
【００７２】
遅角供給油路ＲＲｓは、作動油制御部ＯＣを経由して作動油供給源ＯＳと遅角室２０１とを接続する。
進角供給油路ＲＡｓは、作動油制御部ＯＣを経由して作動油供給源ＯＳと進角室２０２とを接続する。
遅角ドレン油路ＲＲｄ、進角ドレン油路ＲＡｄは、遅角室２０１および進角室２０２とオイル排出部ＯＤとを接続する。
遅角供給チェック弁７１は、遅角供給油路ＲＲｓにおいて作動油制御部ＯＣの作動油供給源ＯＳ側に設けられ、作動油供給源ＯＳ側から遅角室２０１側への作動油の流れのみ許容する。
進角供給チェック弁７２は、進角供給油路ＲＡｓにおいて作動油制御部ＯＣの作動油供給源ＯＳ側に設けられ、作動油供給源ＯＳ側から進角室２０２側への作動油の流れのみ許容する。
【００７３】
本実施形態では、遅角側、進角側のそれぞれに遅角供給チェック弁７１、進角供給チェック弁７２を設けることにより作動油供給源ＯＳ側への作動油の逆流を抑制し、位相変換部ＰＣの位相を保持しているときであっても遅角室２０１および進角室２０２に作動油を供給可能である。すなわち、位相変換部ＰＣの位相保持時、遅角室２０１および進角室２０２への作動油の供給状態を保ち、遅角室２０１および進角室２０２に空気が吸い込まれることで生じる位相変換部ＰＣの位相暴れを抑制することができる。
【００７４】
また、本実施形態では、遅角供給チェック弁７１および進角供給チェック弁７２を作動油制御部ＯＣの上流側、すなわち、作動油供給源ＯＳ側に設けることにより、作動油制御部ＯＣの下流側、すなわち、作動油制御部ＯＣと遅角室２０１および進角室２０２との間の油路を、遅角室２０１側と進角室２０２側とでそれぞれ１系統、合計２系統とすることができる。そのため、作動油制御部ＯＣに形成する開口部を、遅角室２０１との間、および、進角室２０２との間にそれぞれ１つずつ、合計２つ（遅角開口部ＯＲ、進角開口部ＯＡ）にすることができる。これにより、作動油制御部ＯＣの体格を開口部の並び方向に小さくすることができる。
【００７５】
また、（２）本実施形態では、作動油制御部ＯＣは、筒状のスリーブ４００、および、スリーブ４００の内側に設けられたスプール６０を有している。
スリーブ４００は、遅角供給油路ＲＲｓにおいて作動油供給源ＯＳに連通する遅角供給開口部ＯＲｓ、進角供給油路ＲＡｓにおいて作動油供給源ＯＳに連通する進角供給開口部ＯＡｓ、遅角供給油路ＲＲｓにおいて遅角室２０１に連通する遅角開口部ＯＲ、進角供給油路ＲＡｓにおいて進角室２０２に連通する進角開口部ＯＡを有している。
このように、本実施形態では、作動油制御部ＯＣに形成する開口部を、遅角室２０１との間、および、進角室２０２との間にそれぞれ１つずつ、合計２つ（遅角開口部ＯＲ、進角開口部ＯＡ）にすることができ、作動油供給源ＯＳとの間に遅角側と進角側とで１つずつ、合計２つ（遅角供給開口部ＯＲｓ、進角供給開口部ＯＡｓ）にすることができる。これにより、作動油制御部ＯＣに形成する開口部の数を少なくでき、作動油制御部ＯＣの体格を開口部の並び方向に小さくすることができる。
【００７６】
また、（３）本実施形態では、ドレン油路は、遅角室２０１とオイル排出部ＯＤとを接続する遅角ドレン油路ＲＲｄ、および、進角室２０２とオイル排出部ＯＤとを接続する進角ドレン油路ＲＡｄを含んでいる。
スプール６０は、スリーブ４００に対する移動可能範囲であるストローク区間において、遅角ドレン油路ＲＲｄおよび進角ドレン油路ＲＡｄの両方を閉じて位相変換部ＰＣの位相を保持する位相保持区間、ならびに、少なくとも位相保持区間において遅角開口部ＯＲおよび進角開口部ＯＡの両方を開く進遅角両開口区間を有している。そのため、少なくとも位相変換部ＰＣの位相を保持しているとき、遅角室２０１および進角室２０２の両方に作動油を供給可能である。これにより、遅角室２０１および進角室２０２に空気が吸い込まれることで生じる位相変換部ＰＣの位相暴れをより効果的に抑制することができる。
【００７７】
また、（４）本実施形態では、スプール６０は、ストローク区間において、進角供給開口部ＯＡｓと進角ドレン油路ＲＡｄとが連通する進角供給ドレン区間、および、遅角供給開口部ＯＲｓと遅角ドレン油路ＲＲｄとが連通する遅角供給ドレン区間を有している。そのため、位相保持区間の全ての範囲を進遅角両開口区間とすることができる。これにより、遅角ドレン油路ＲＲｄおよび進角ドレン油路ＲＡｄを閉じて位相変換部ＰＣの位相を保持しているとき、常に遅角室２０１および進角室２０２の両方に作動油を供給可能である。したがって、位相変換部ＰＣの位相暴れをより一層効果的に抑制することができる。
【００７８】
また、（６）本実施形態では、スリーブ４００は、アウタースリーブ４０、および、アウタースリーブ４０の内側に設けられたインナースリーブ５０を有している。
アウタースリーブ４０とインナースリーブ５０との界面Ｔ１に、作動油供給源ＯＳと遅角供給開口部ＯＲｓとを接続する遅角供給油路ＲＲｓ、および、作動油供給源ＯＳと進角供給開口部ＯＡｓとを連通する進角供給油路ＲＡｓが形成されている。そのため、遅角供給油路ＲＲｓおよび進角供給油路ＲＡｓをスリーブ４００内に容易に形成することができる。
【００７９】
また、（８）本実施形態では、遅角供給チェック弁７１および進角供給チェック弁７２は、作動油制御部ＯＣの内側に設けられている。そのため、作動油制御部ＯＣの内側で遅角供給油路ＲＲｓと進角供給油路ＲＡｓとを分岐させ、作動油制御部ＯＣに形成する開口部の数を少なくすることができる。また、遅角供給チェック弁７１および進角供給チェック弁７２を作動油制御部ＯＣの内側に設けることにより、バルブタイミング調整装置１０全体の体格を小さくすることができる。
【００８０】
また、（１２）本実施形態では、遅角供給チェック弁７１および進角供給チェック弁７２は、径方向に弾性変形可能に形成されている。そのため、遅角供給チェック弁７１および進角供給チェック弁７２の構成を簡素にするとともに、遅角供給チェック弁７１および進角供給チェック弁７２を省スペースに配置でき、作動油の圧損を小さくすることができる。
【００８１】
また、（１３）本実施形態では、スリーブ４００は、径方向に凹むよう形成され遅角供給チェック弁７１および進角供給チェック弁７２の軸方向の移動を規制可能な規制溝部５１１、５１２を有している。
遅角供給開口部ＯＲｓおよび進角供給開口部ＯＡｓは、スリーブ４００の周方向における特定の部位に偏って形成されている。そのため、作動油が遅角供給開口部ＯＲｓ側から規制溝部５１１側へ流れるとき、遅角供給チェック弁７１は、作動油によって、規制溝部５１１の遅角供給開口部ＯＲｓとは反対側に押し付けられる。これにより、遅角供給チェック弁７１が規制溝部５１１から脱落するのを抑制することができる。また、作動油が進角供給開口部ＯＡｓ側から規制溝部５１２側へ流れるとき、進角供給チェック弁７２は、作動油によって、規制溝部５１２の進角供給開口部ＯＡｓとは反対側に押し付けられる。これにより、進角供給チェック弁７２が規制溝部５１２から脱落するのを抑制することができる。したがって、規制溝部５１１、５１２は、遅角供給チェック弁７１および進角供給チェック弁７２の軸方向の移動を規制する機能を維持することができる。
【００８２】
また、（１４）本実施形態は、ハウジング２０を備えている。
ハウジング２０は、遅角室２０１および進角室２０２を形成している。すなわち、ハウジング２０は、位相変換部ＰＣの一部である。
作動油制御部ＯＣは、少なくとも一部がハウジング２０の内側に位置するよう設けられている。そのため、位相変換部ＰＣと作動油制御部ＯＣとを一体に設けることができ、作動油制御部ＯＣから位相変換部ＰＣまでの作動油の圧損を抑制することができるとともに、バルブタイミング調整装置１０をコンパクトに構成することができる。
【００８３】
（第２実施形態）
第２実施形態によるバルブタイミング調整装置について、図１３に基づき説明する。第２実施形態は、物理的な構成は第１実施形態と略同じであるものの、スプール６０のストロークによる各油路の連通の仕方が第１実施形態と異なる。
【００８４】
図１３に示すように、スプールストロークｓ１〜ｓ５では、ＳＡｄおよびＳＲｄは０である。このとき、スプール６０は、遅角ドレン油路ＲＲｄおよび進角ドレン油路ＲＡｄの両方を閉じて位相変換部ＰＣの位相を保持する。このときのストローク区間を「位相保持区間」とする。
また、スプールストロークｓ２〜ｓ４では、ＳＲｓおよびＳＡｓは０より大きい。このとき、スプール６０は、遅角開口部ＯＲおよび進角開口部ＯＡの両方を開き、遅角室２０１および進角室２０２の両方に作動油を供給可能とする。このときのストローク区間を「進遅角両開口区間」とする。
【００８５】
このように、本実施形態では、スプール６０は、スリーブ４００に対する移動可能範囲であるストローク区間（ｓ０〜ｓ６）において、遅角ドレン油路ＲＲｄおよび進角ドレン油路ＲＡｄの両方を閉じて位相変換部ＰＣの位相を保持する「位相保持区間（ｓ１〜ｓ５）」、ならびに、少なくとも位相保持区間において遅角開口部ＯＲおよび進角開口部ＯＡの両方を開く「進遅角両開口区間（ｓ２〜ｓ４）」を有している。
なお、「進遅角両開口区間（ｓ２〜ｓ４）」は、「位相保持区間（ｓ１〜ｓ５）」の長さより短く設定されている。
第２実施形態は、上述した点以外の構成は、第１実施形態と同様である。
【００８６】
以上説明したように、（５）本実施形態では、進遅角両開口区間の長さは、位相保持区間の長さより短く設定されている。そのため、遅角供給油路ＲＲｓまたは進角供給油路ＲＡｓと遅角ドレン油路ＲＲｄまたは進角ドレン油路ＲＡｄとが連通してオイルパン７側への作動油の漏れ量が増大するのを抑制することができる。
【００８７】
（第３実施形態）
第３実施形態によるバルブタイミング調整装置を図１４に示す。第３実施形態は、作動油制御弁１１の構成等が第１実施形態と異なる。
【００８８】
第３実施形態では、ケース２２の筒部２２１と板部２２２とは別体に形成されている。ギア部２１は、筒部２２１の板部２２３側の端部の径方向外側において筒部２２１と一体に形成されている。嵌入凹部２５は、板部２２３のベーンロータ３０側に形成されている。スプリング３４は、ロックピン３３を板部２２３側へ付勢している。
【００８９】
本実施形態は、係合ピン１３、ブッシュ１４、中間部材１５、リタードスプリング１６をさらに備えている。
係合ピン１３は、板部２２２から筒部２２１とは反対側へ突出するよう板部２２２の外縁部に設けられている。ブッシュ１４は、環状に形成され、ベーンロータ３０とスリーブ４００の係止部４９との間に挟み込まれるようにして設けられている。中間部材１５は、環状に形成され、ベーンロータ３０とカム軸３との間に挟み込まれるようにして設けられている。
【００９０】
リタードスプリング１６は、例えば鉄またはステンレス等の金属からなる素線を巻き回すことによりコイル状に形成されている。リタードスプリング１６は、一端が係合ピン１３に係合し、他端がブッシュ１４に係合している。リタードスプリング１６は、ベーンロータ３０をハウジング２０に対し進角方向に付勢している。ここで、リタードスプリング１６の付勢力は、カム軸３の回転時にカム軸３からベーンロータ３０に作用する変動トルクの平均（遅角方向）より大きく設定されている。よって、各遅角室２０１および各進角室２０２に作動油が供給されていない状態では、ベーンロータ３０は、リタードスプリング１６により進角方向に付勢され、最進角位置に押し付けられる。
【００９１】
図１５に示すように、第３実施形態では、スリーブ４００は、第１実施形態のようにアウタースリーブ４０およびインナースリーブ５０に分割されておらず、１つの筒状の部材として形成されている。
遅角供給開口部ＯＲｓは、スリーブ４００の径方向に延びてスリーブ４００の規制溝部５１１とスリーブ４００の外側の空間とを接続するよう形成されている。なお、遅角供給開口部ＯＲｓは、スリーブ４００の周方向に複数形成されている。遅角供給開口部ＯＲｓは、カム軸３、中間部材１５およびベーンロータ３０に形成された遅角油路３０５を経由してオイルポンプ８に接続している。
進角供給開口部ＯＡｓは、スリーブ４００の径方向に延びてスリーブ４００の規制溝部５１２とスリーブ４００の外側の空間とを接続するよう形成されている。なお、進角供給開口部ＯＡｓは、スリーブ４００の周方向に複数形成されている。進角供給開口部ＯＡｓは、カム軸３、中間部材１５、ベーンロータ３０およびブッシュ１４に形成された進角油路３０６を経由してオイルポンプ８に接続している。
【００９２】
遅角開口部ＯＲは、スリーブ４００の径方向に延びてスリーブ４００の内側の空間と外側の空間とを接続するよう形成されている。なお、遅角開口部ＯＲは、スリーブ４００の周方向に複数形成されている。遅角開口部ＯＲは、ベーンロータ３０に形成された遅角油路３０１を経由して遅角室２０１に連通している。
進角開口部ＯＡは、スリーブ４００の径方向に延びてスリーブ４００の内側の空間と外側の空間とを接続するよう形成されている。なお、進角開口部ＯＡは、スリーブ４００の周方向に複数形成されている。進角開口部ＯＡは、ベーンロータ３０に形成された進角油路３０２を経由して進角室２０２に連通している。
【００９３】
遅角供給油路ＲＲｓは、供給穴部１０１、遅角油路３０５、遅角供給開口部ＯＲｓ、規制溝部５１１、遅角供給凹部ＨＲｓ、遅角開口部ＯＲ、遅角油路３０１を経由して、オイルポンプ８と遅角室２０１とを接続している。
進角供給油路ＲＡｓは、供給穴部１０１、進角油路３０６、進角供給開口部ＯＡｓ、規制溝部５１２、進角供給凹部ＨＡｓ、進角開口部ＯＡ、進角油路３０２を経由して、オイルポンプ８と進角室２０２とを接続している。
遅角ドレン油路ＲＲｄは、遅角油路３０１、遅角開口部ＯＲ、遅角ドレン凹部ＨＲｄ、ドレン開口部Ｏｄ１、Ｏｄ２を経由して、遅角室２０１とオイルパン７とを接続している。
進角ドレン油路ＲＡｄは、進角油路３０２、進角開口部ＯＡ、進角ドレン凹部ＨＡｄ、ドレン開口部Ｏｄ１、Ｏｄ２を経由して、進角室２０２とオイルパン７とを接続している。
【００９４】
このように、本実施形態では、スリーブ４００には、オイルポンプ８と遅角供給開口部ＯＲｓとを接続する遅角供給油路ＲＲｓ、および、遅角供給油路ＲＲｓとは異なる位置においてオイルパン７と進角供給開口部ＯＡｓとを接続する進角供給油路ＲＡｓが形成されている。また、遅角供給油路ＲＲｓ、進角供給油路ＲＡｓ、遅角ドレン油路ＲＲｄ、進角ドレン油路ＲＡｄは、一部が作動油制御弁１１の内部に形成されている。
【００９５】
遅角供給チェック弁７１は、規制溝部５１１に設けられている。すなわち、遅角供給チェック弁７１は、第１実施形態と同様、遅角供給油路ＲＲｓにおいて作動油制御弁１１のスプール６０に対しオイルポンプ８側に設けられ、オイルポンプ８側から遅角室２０１側への作動油の流れのみ許容する。
進角供給チェック弁７２は、規制溝部５１２に設けられている。すなわち、進角供給チェック弁７２は、第１実施形態と同様、進角供給油路ＲＡｓにおいて作動油制御弁１１のスプール６０に対しオイルポンプ８側に設けられ、オイルポンプ８側から進角室２０２側への作動油の流れのみ許容する。
【００９６】
第３実施形態では、スリーブ４００にはスリーブ封止部５１は設けられていない。また、軸穴部１００は、大気に開放されている。そのため、容積可変空間Ｓｖは、ドレン開口部Ｏｄ２、軸穴部１００を経由して大気に開放されている。
第３実施形態は、上述した点以外の構成は、第１実施形態と同様である。
【００９７】
以上説明したように、（７）本実施形態では、スリーブ４００には、作動油供給源ＯＳと遅角供給開口部ＯＲｓとを接続する遅角供給油路ＲＲｓ、および、遅角供給油路ＲＲｓとは異なる位置において作動油供給源ＯＳと進角供給開口部ＯＡｓとを接続する進角供給油路ＲＡｓが形成されている。そのため、第１実施形態のようにスリーブ４００をアウタースリーブ４０とインナースリーブ５０とに分割することなく、遅角供給油路ＲＲｓと進角供給油路ＲＡｓとをスリーブ４００に形成することができる。これにより、部材点数を削減することができる。
【００９８】
（第４実施形態）
第４実施形態によるバルブタイミング調整装置を図１６に示す。第４実施形態は、遅角供給チェック弁７１、進角供給チェック弁７２の構成等が第３実施形態と異なる。
第４実施形態は、リード弁７０をさらに備えている。
図１７に示すように、リード弁７０は、例えば金属薄板により環状に形成されている。リード弁７０は、２つの開口部７０２、２つの支持部７０３、２つの弁部７０１を有している。
【００９９】
開口部７０２は、リード弁７０を板厚方向に貫くよう形成されている。支持部７０３は、開口部７０２の内縁部から開口部７０２の中央に向かって延びるよう形成されている。弁部７０１は、円形に形成され、支持部７０３の先端部に接続するよう支持部７０３と一体に形成されている。支持部７０３は、弁部７０１を支持している。リード弁７０は、弁部７０１および支持部７０３が弾性変形可能である。
２つの弁部７０１のうち一方は、遅角供給チェック弁７１に対応している。２つの弁部７０１のうち他方は、進角供給チェック弁７２に対応している。
【０１００】
リード弁７０は、ベーンロータ３０と中間部材１５との間に挟み込まれるようにして設けられている。ここで、リード弁７０は、遅角供給チェック弁７１が遅角油路３０５に対応し、進角供給チェック弁７２が進角油路３０６に対応するよう設けられている。
【０１０１】
このように、リード弁７０は、ハウジング２０の内側であって、作動油制御弁１１の外側に設けられている（図１６、１８参照）。リード弁７０は、弁部７０１および支持部７０３が弾性変形することで、オイルポンプ８側から作動油制御弁１１側への作動油の流れを許容し、作動油制御弁１１側からオイルポンプ８側への作動油の流れを規制する。すなわち、リード弁７０は、オイルポンプ８側から作動油制御弁１１側への作動油の流れのみ許容する。
【０１０２】
なお、本実施形態では、遅角供給チェック弁７１および進角供給チェック弁７２は、作動油制御弁１１の内側には設けられておらず、作動油制御弁１１の外側に設けられた１つのリード弁７０に形成されている（図１６、１８参照）。
第４実施形態は、上述した点以外の構成は、第３実施形態と同様である。
【０１０３】
以上説明したように、（９）本実施形態では、遅角供給チェック弁７１および進角供給チェック弁７２は、作動油制御部ＯＣの外側に設けられている。そのため、作動油制御部ＯＣの内部形状を簡素にすることができるとともに、遅角供給チェック弁７１および進角供給チェック弁７２をバルブタイミング調整装置１０に容易に組み付けることができる。
【０１０４】
また、（１０）本実施形態は、ハウジング２０とリード弁７０とを備えている。
ハウジング２０は、遅角室２０１および進角室２０２を形成している。すなわち、ハウジング２０は、位相変換部ＰＣの一部である。
リード弁７０は、ハウジング２０の内側に設けられ、作動油供給源ＯＳ側から作動油制御部ＯＣ側への作動油の流れのみ許容する。
リード弁７０をハウジング２０の内側に設けることにより、リード弁７０とハウジング２０とを一体に扱うことができる。
【０１０５】
また、（１１）本実施形態では、遅角供給チェック弁７１および進角供給チェック弁７２は、１つのリード弁７０に形成されている。そのため、部材点数を削減することができる。
【０１０６】
（第５実施形態）
第５実施形態によるバルブタイミング調整装置について、図１９、２０に基づき説明する。第５実施形態は、遅角供給チェック弁７１、進角供給チェック弁７２の形状等が第１実施形態と異なる。
【０１０７】
第５実施形態では、遅角供給チェック弁７１は、第１実施形態と同様、例えば長方形の金属薄板を長手方向が周方向に沿うよう曲げることにより略円筒状に形成されている。図１９は、遅角供給チェック弁７１を展開した図である。図２０は、遅角供給チェック弁７１の軸方向の中間位置における断面図である。
【０１０８】
第５実施形態では、遅角供給チェック弁７１は、重なり部７００、開口部７０２、支持部７０３、弁部７０１を有している。
重なり部７００は、遅角供給チェック弁７１の周方向の一方の端部に形成されている。重なり部７００は、遅角供給チェック弁７１の周方向の他方の端部の径方向外側に重なるようにして形成されている（図２０参照）。
【０１０９】
開口部７０２は、遅角供給チェック弁７１の周方向に等間隔で４つ形成されている。
支持部７０３は、４つの開口部７０２のそれぞれの内縁部から遅角供給チェック弁７１の周方向に延びるよう形成されている。
【０１１０】
弁部７０１は、支持部７０３の先端部に接続するよう形成されている。ここで、弁部７０１は、遅角供給チェック弁７１の周方向に等間隔で４つ形成されている。
【０１１１】
遅角供給チェック弁７１は、インナースリーブ５０の規制溝部５１１に設けられている。遅角供給チェック弁７１は、規制溝部５１１の内側において支持部７０３および弁部７０１が径方向に弾性変形可能に設けられている。ここで、遅角供給チェック弁７１は、４つの弁部７０１がそれぞれ４つの遅角供給開口部ＯＲｓに対応するよう設けられている。すなわち、本実施形態では、遅角供給開口部ＯＲｓは、インナースリーブ５０の周方向に等間隔で４つ形成されている。
【０１１２】
進角供給チェック弁７２の構成は、遅角供給チェック弁７１と同様のため、構成についての詳細な説明を省略する。
進角供給チェック弁７２は、インナースリーブ５０の規制溝部５１２に設けられている。進角供給チェック弁７２は、規制溝部５１２の内側において支持部７０３および弁部７０１が径方向に弾性変形可能に設けられている。ここで、進角供給チェック弁７２は、４つの弁部７０１がそれぞれ４つの進角供給開口部ＯＡｓに対応するよう設けられている。すなわち、本実施形態では、進角供給開口部ＯＡｓは、インナースリーブ５０の周方向に等間隔で４つ形成されている。
第５実施形態は、上述した点以外の構成は、第１実施形態と同様である。
【０１１３】
（第６実施形態）
第６実施形態によるバルブタイミング調整装置について、図２１に基づき説明する。第６実施形態は、遅角供給チェック弁７１、進角供給チェック弁７２の形状等が第１実施形態と異なる。
第６実施形態では、遅角供給チェック弁７１は、第１実施形態と同様、例えば長方形の金属薄板を長手方向が周方向に沿うよう曲げることにより略円筒状に形成されている。図２１は、遅角供給チェック弁７１を展開した図である。
【０１１４】
第６実施形態では、遅角供給チェック弁７１は、重なり部７００、切欠き部７０４を有している。
重なり部７００は、遅角供給チェック弁７１の周方向の一方の端部に形成されている。重なり部７００は、遅角供給チェック弁７１の周方向の他方の端部の径方向外側に重なるようにして形成されている。
【０１１５】
切欠き部７０４は、遅角供給チェック弁７１の軸方向の両端部を軸方向に切り欠くようにして形成されている。切欠き部７０４は、遅角供給チェック弁７１の周方向に間隔を空けて複数形成されている。
【０１１６】
遅角供給チェック弁７１は、インナースリーブ５０の規制溝部５１１に設けられている。遅角供給チェック弁７１は、規制溝部５１１の内側において径方向に弾性変形可能に設けられている。
遅角供給チェック弁７１が径方向内側または径方向外側に変形するとき、作動油は、切欠き部７０４を流れることができる。そのため、遅角供給チェック弁７１の周りの作動油が遅角供給チェック弁７１の径方向の変形を阻害するのを抑制することができる。これにより、遅角供給チェック弁７１の開閉弁の作動を円滑にすることができる。
【０１１７】
進角供給チェック弁７２の構成は、遅角供給チェック弁７１と同様のため、構成についての詳細な説明を省略する。
進角供給チェック弁７２は、インナースリーブ５０の規制溝部５１２に設けられている。進角供給チェック弁７２は、規制溝部５１２の内側において径方向に弾性変形可能に設けられている。
進角供給チェック弁７２が径方向内側または径方向外側に変形するとき、作動油は、切欠き部７０４を流れることができる。そのため、特に進角供給チェック弁７２の周りの作動油が進角供給チェック弁７２の径方向の変形を阻害するのを抑制することができる。これにより、進角供給チェック弁７２の開閉弁の作動を円滑にすることができる。
第６実施形態は、上述した点以外の構成は、第１実施形態と同様である。
【０１１８】
（他の実施形態）
本発明の他の実施形態では、遅角供給チェック弁７１、進角供給チェック弁７２は、作動油制御部ＯＣの作動油供給源ＯＳ側、すなわち、上流側であれば、作動油制御部ＯＣ内、ハウジング２０内に限らず、どの位置に設けてもよい。
また、本発明の他の実施形態では、進遅角両開口区間の長さは、位相保持区間の長さと同じに設定されていてもよい。
【０１１９】
また、上述の実施形態では、流路溝部５２（軸方向供給油路ＲｓＡ）が、インナースリーブ５０の外周壁から径方向内側に凹むようアウタースリーブ４０とインナースリーブ５０との界面Ｔ１上に形成される例を示した。これに対し、本発明の他の実施形態では、流路溝部５２は、アウタースリーブ４０の内周壁から径方向外側に凹むようアウタースリーブ４０とインナースリーブ５０との界面Ｔ１上に形成されることとしてもよい。
【０１２０】
また、上述の第１、２実施形態では、アウタースリーブ４０を鉄を含む材料により形成し、インナースリーブ５０をアルミニウムを含む材料により形成する例を示した。これに対し、本発明の他の実施形態では、インナースリーブ５０は、アウタースリーブ４０よりも硬度が低い材料であれば、どのような材料により形成されていてもよい。また、アウタースリーブ４０は、インナースリーブ５０よりも硬度が高い材料であれば、どのような材料により形成されていてもよい。また、インナースリーブ５０には、表面硬化処理が施されていなくてもよい。
【０１２１】
また、本発明の他の実施形態では、作動油制御弁１１は、全ての部位がハウジング２０の外部に位置するよう設けられていてもよい。この場合、アウタースリーブ４０は、ねじ部４１を省略することができる。また、この場合、アウタースリーブ４０、インナースリーブ５０をいずれもアルミニウムを含む材料により形成してもよい。この場合、アウタースリーブ４０、インナースリーブ５０の強度を確保しつつ、材料コストを低減することができる。
【０１２２】
また、本発明の他の実施形態では、チェーン６に代えて、例えばベルト等の伝達部材によりハウジング２０とクランク軸２とが連結されていてもよい。
【０１２３】
また、上述の実施形態では、ベーンロータ３０がカム軸３の端部に固定され、ハウジング２０がクランク軸２に連動して回転する例を示した。これに対し、本発明の他の実施形態では、ベーンロータ３０がクランク軸２の端部に固定され、ハウジング２０がカム軸３に連動して回転することとしてもよい。
【０１２４】
本発明のバルブタイミング調整装置１０は、エンジン１の排気弁５のバルブタイミングを調整することとしてもよい。
このように、本開示は、上記実施形態に限定されるものではなく、その要旨を逸脱しない範囲で種々の形態で実施可能である。
【符号の説明】
【０１２５】
１  エンジン（内燃機関）、４  吸気弁（バルブ）、５  排気弁（バルブ）、１０  バルブタイミング調整装置、ＰＣ  位相変換部、２０１  遅角室、２０２  進角室、ＯＳ  作動油供給源、８  オイルポンプ（作動油供給源）、ＯＣ  作動油制御部、１１  作動油制御弁（作動油制御部）、ＯＤ  オイル排出部、７  オイルパン（オイル排出部）、ＲＲｓ  遅角供給油路、ＲＡｓ  進角供給油路、ＲＲｄ  遅角ドレン油路（ドレン油路）、ＲＡｄ  進角ドレン油路（ドレン油路）、７１  遅角供給チェック弁、７２  進角供給チェック弁
【図１】
2018178971.tif 000003
【図２】
2018178971.tif 000004
【図３】
2018178971.tif 000005
【図４】
2018178971.tif 000006
【図５】
2018178971.tif 000007
【図６】
2018178971.tif 000008
【図７】
2018178971.tif 000009
【図８】
2018178971.tif 000010
【図９】
2018178971.tif 000011
【図１０】
2018178971.tif 000012
【図１１】
2018178971.tif 000013
【図１２】
2018178971.tif 000014
【図１３】
2018178971.tif 000015
【図１４】
2018178971.tif 000016
【図１５】
2018178971.tif 000017
【図１６】
2018178971.tif 000018
【図１７】
2018178971.tif 000019
【図１８】
2018178971.tif 000020
【図１９】
2018178971.tif 000021
【図２０】
2018178971.tif 000022
【図２１】
2018178971.tif 000023